(57)【要約】      （修正有）【課題】内外両バッグの各開口部に共用できるファスナーを取りつけて各ファスナーの組み合わせにより二重バッグの多種な使用用途を広げ、また、用途に応じた各ファスナーの係合や取外し構造自在の二重バッグ構造を提供する。【解決手段】内外両バッグ２０，３０の各開口部にそれぞれ共用できるファスナー２１，２２を取りつけて各ファスナーの係合の組み合わせにより二重バッグの内部において多種多様な空間を形成して二重バッグの用途を広げ、また、構造も従来の二重バッグ構造に比し複雑にならずコスト的にも有利に製造することができる二重バッグ構造を提供して従来の二重バッグの欠点を解消することが出来るようにする。【選択図】図１
2020014750.tif 000002
【特許請求の範囲】
【請求項１】
アウターバッグ内にインナーバッグを収納した二重バッグ構造において、各バッグの開口部の前後縁部にそれぞれ共用のファスナーを設けたことを特徴とする二重バッグ。
【発明の詳細な説明】
【技術分野】
【０００１】
本発明は、内外両バッグの各開口部に共用できるファスナーを取りつけて各共用ファスナーの組み合わせにより二重バッグの多種な使用用途を広げ、また、用途に応じた各ファスナーの係合や取外しを可能とした二重バッグ構造に関する。
【背景技術】
【０００２】
従来、インナーバッグとアウターバッグの組み合わせからなる二重バッグ構造は種々のものがある。
例えば、特許文献１には、インナーバッグを巾着状に構成して開口部周縁に通した紐の緊締弛緩作用により開口部の開閉を可能とすると共に、このインナーバッグをアウターバッグ中に収納しアウターバッグ開口部に連設したベルトを介して両バッグを連結するように構成した典型的な二重バッグ構造が開示されている。
【先行技術文献】
【特許文献】
【０００３】
【特許文献１】特開２０１１−２３４８８８号公報
【発明の概要】
【発明が解決しようとする課題】
【０００４】
しかし、この典型的な二重バッグ構造は単にインナーバッグをアウターバッグ中に収納するだけのものであり、各バッグの開口部はそれぞれのバッグに特有のものとして各バッグの物収納取出し機能しかない。すなわち、インナーバッグの中の収納空間と、アウターバッグの中の収納空間内でインナーバッグとの両バックの間に形成される空間の二種類のバッグ内空間しか利用することができない構造であった。
そのため、二重バッグ構造としては二重のバッグでありながらアウターバッグ内空間をもっと有効で多機能的に利用できるバッグが望まれていた。
【０００５】
そこで、本発明ではかかる事情を鑑みて、内外両バッグの各開口部にそれぞれ共用できるファスナーを取りつけて各ファスナーの係合の組み合わせにより二重バッグの内部において多種多様な空間を形成して二重バッグの用途を広げ、また、構造も従来の二重バッグ構造と比較して複雑にならずコスト的にも有利に製造することができる二重バッグ構造を提供せんとするものである。
【課題を解決するための手段】
【０００６】
この発明は、アウターバッグ内にインナーバッグを収納した二重バッグ構造において、各バッグの開口部の前後縁部にそれぞれ共用の共用ファスナーを設けたことを特徴とする二重バッグを提供する。
【発明の効果】
【０００７】
請求項１の発明によれば、アウターバッグ内にインナーバッグを収納した二重バッグ構造において、各バッグの開口部の前後縁部にそれぞれ共用ファスナーを設けたことにより、基本的なファスナー係合形態として、図２，図３、図４，図５に示すように、インナーバッグの開口部の一対のファスナー及びアウターバッグインナーの開口部の一対のファスナーとをそれぞれ係合離脱状態にするファスナー係合形態、すなわち、図８，図９に示すように、インナーバッグの開口部の両方のファスナーとアウターバッグの開口部の両方のファスナーとをそれぞれ一対ファスナーとして係合する形態や、図６，図７に示すように、インナーバッグの一方のファスナーとアウターバッグの一方のファスナーとを一対ファスナーとして係合し他方のファスナーは開放状態とした形態等のように多種多様なファスナーの組み合わせによりインナーバッグとアウターバッグとの内部空間の使用形態を変更して用途に応じた二重バッグの変更使用を可能とすることができる効果がある。
しかも、共用機能のファスナーを両バッグの開口部に設けることで上記の多用途の使用形態に変更できるため複雑な構造を必要とせず安価に製造することができる効果がある。
【図面の簡単な説明】
【０００８】
【図１】本発明の実施形態に係る二重バッグを示す斜視図である。
【図２】本発明の実施形態に係る共用ファスナーを開放した形態を示す平面図である。
【図３】本発明の実施形態に係る共用ファスナーを開放した形態を示す図２のＡ−Ａ断面図である。
【図４】本発明の実施形態に係る共用ファスナーをアウターバッグとインナーバッグの前後縁部で係合した形態を示す平面図である。
【図５】本発明の実施形態に係る共用ファスナーをアウターバッグとインナーバッグの前後縁部で係合した形態を示す図４のＢ−Ｂ断面図である。
【図６】本発明の実施形態に係る共用ファスナーをアウターバッグとインナーバッグの前縁部で係合した形態を示す平面図である。
【図７】本発明の実施形態に係る共用ファスナーをアウターバッグとインナーバッグの前縁部で係合した形態を示す図６のＣ−Ｃ断面図である。
【図８】本発明の実施形態に係る共用ファスナーのうちインナーバッグの前後縁部の共用ファスナーを係合した状態を示す平面図である。
【図９】共用ファスナーのうちインナーバッグの前後縁部の共用ファスナーを係合した状態を示す図８のＤ−Ｄ断面図である。
【図１０】本発明の実施形態に係るファスナー構造を示す斜視図である。
【０００９】
この発明の要旨は、アウターバッグ内にインナーバッグを収納した二重バッグ構造において、各バッグの開口部の前後縁部にそれぞれ共用のファスナーを設けたことにある。
【００１０】
この発明の実施例を図面に基づき詳説する。
図１は、本件発明の二重バッグ１００の斜視図を示す。二重バッグ１００はアウターバッグ２０の中にインナーバッグ３０を収納し、かつ各バッグ２０、３０の開口部の前縁部と後縁部の４か所には共用ファスナー２１，２２，３１，３２が設けられている。
本件発明の二重バッグ１００の特徴は、これらの４か所の共用ファスナー２１，２２，３１，３２の係合の組み合わせにより多種多様のバッグ内空間の使用形態を変更自在としたことにある。
【００１１】
次に、これら４か所に設けた共用ファスナー２１，２２，３１，３２の係合離脱構造について説明する。
共用ファスナー２１，２２，３１，３２の一般構造は、いわゆる線ファスナーが使用されると共に、図１０に示すように、その構造は、アウターバッグ２０及びインナーバッグ３０の開口縁部２３，３３にジッパーテープ４０をそれぞれ配設し、該テープ４０の短手方向端縁に連設した左右務歯４１，４２と、左右務歯４１，４２を係合離脱するためのスライダー５０と、左右務歯４１，４２の始端と終端に設けた上止め具４３及び下止め具４４とより構成している。
【００１２】
しかも、スライダー５０の構造は、図１０に示すように、平面視略ハート形状の上下側板５１、５２と、上下側板５１、５２を一定の間隔を保持して一体に組み付けた略三角形の支柱５３と、上下側板５１、５２の一端開口部を形成する左右務歯４１，４２を挿通するための口金部５４と、上下側板５１、５２の左右側面に形成した一定間隙のテープ溝部５５と、上側板５１に連設した引き手５６とより構成されている。
【００１３】
図１〜９に示すように、かかる共用ファスナー２１，２２，３１，３２は各バッグ２０、３０の開口縁部の前縁部と後縁部の４か所に線ファスナーとして設けられている。
しかも、これらの４か所の共用ファスナー２１，２２，３１，３２におけるスライダー５０は、各４か所の共用ファスナー２１，２２，３１，３２のそれぞれに装着することも可能であり、また、図１に示すように、インナーバッグ３０とアウターバッグ２０とに一個ずつ装着することも可能である。これは図２，図３、図４，図５、図６，図７、図８，図９に示すように各共用ファスナー２１，２２，３１，３２の組合せ形態の如何で選択することができる。
【００１４】
かかる場合にスライダー５０の口金部５４には共用ファスナー２１，２２，３１，３２の上下止め具４３，４４が自在に挿入されるように構成し、このスライダー５０の口金部５４を介して各バッグ２０、３０のいずれかの共用ファスナー２１，２２，３１，３２を組み合わせて一対のファスナーを構成するかを選択できる。
【００１５】
このようにスライダー５０を介してインナーバッグ３０とアウターバッグ２０に設けた４か所のファスナー２１，２２，３１，３２を組み合わせ選択して図２，図３、図４，図５、図６，図７、図８，図９に示す共用ファスナー２１，２２，３１，３２の組合せ形態を実現する。
【００１６】
かかる組合せ形態の変更は使用用途に応じたバッグ内部の空間形成の変形に合わせて行われる。
図中、２４はアウターバッグ２０に連設した手提げ用の取っ手２４を示し、３１は共用ファスナー２１，２２，３１，３２のうちインナーバッグ３０の前縁部の共用ファスナー３１、３２は共用ファスナー２１，２２，３１，３２のうちインナーバッグ３０の後縁部の共用ファスナー３２、２１は共用ファスナー２１，２２，３１，３２のうちアウターバッグ２０の前縁部の共用ファスナー２１、２２は共用ファスナー２１，２２，３１，３２のうちアウターバッグ２０の後縁部の共用ファスナー２２をそれぞれ示している。
【００１７】
この発明の実施例は上記のように構成されており、共用ファスナー２１，２２，３１，３２の使用形態の変形を次に説明する。
【００１８】
（第１の使用形態）
図２、図３，図４、図５に示すように、インナーバッグ３０の開口部の共用ファスナー３１、３２を係合離脱自在に、また、アウターバッグ２０の開口縁部２３に配設した共用ファスナー２１，２２を係合離脱自在に操作することにより図示するようにそれぞれのバッグ２０，３０の内部空間を独自に使用できる形態とすることができる。
【００１９】
例えば、図４，図５に示すような形態とすることにより二重構造のバッグにかかわらずインナーバッグ３０だけの単体バッグとしての使用形態に変化させることができ、二重構造のバッグでありながら単体バッグのような利便性のある形態に変化することができる。
【００２０】
この利用形態の他の変形例としてはインナーバッグ３０の内部に保冷或いは保温の必要な収納物を収納し、インナーバッグ３０とアウターバッグ２０との間の閉塞空間内に保冷材或いは保温剤を収納してインナーバッグ３０内部の収納物の保冷、保温機能を果たす形態の二重バッグ形態とすることもできる。
【００２１】
このように、インナーバッグ３０の開口縁部３３に配設した共用ファスナー３１とアウターバッグ２０の開口縁部２３に配設した共用ファスナー２１を係合離脱自在に、また、インナーバッグ３０の開口縁部３３に配設した共用ファスナー３２とアウターバッグ２０の開口縁部２３に配設した共用ファスナー２２を係合離脱自在とするように操作し、専らインナーバッグ３０を主体的に使用できる形態とし、一個のバッグとして利用できるようにする。例えば、インナーバッグ３０の内表面を非通水性の材料で構成することにより水着等の湿った物を収納する形態バッグに変形することも可能となる。
【００２２】
（第２の使用形態）
図４、図５に示すように、本発明の第２の使用形態はインナーバッグ３０の開口縁部３３に配設した共用ファスナー３１とアウターバッグ２０の開口縁部２３に配設した共用ファスナー２１をスライダー５０で一体係合し、また、インナーバッグ３０の開口縁部３３に配設した共用ファスナー３２とアウターバッグ２０の開口縁部２３に配設した共用ファスナー２２を開放状態に操作することで使い勝手の良い内部仕切りバッグに操作することができる。
【００２３】
（第３の使用形態）
図６、図７に示すように、本発明の第３の使用形態はインナーバッグ３０の開口部の共用ファスナー３１、３２をスライダー５０で係合して開口部を閉塞状態とし、かつ、アウターバッグ２０の開口部の共用ファスナー２１、２２は開放状態で開閉可能に操作し、インナーバッグ３０内部に予め貴重品等の収納物を収納した形態とし、アウターバッグ２０内部を通常の収納バッグとして使用可能な形態とすることができる。
【００２４】
共用ファスナー２１，２２，３１，３２に係合する操作は、所定の共用ファスナー２１，２２，３１，３２における務歯４１，４２端部の上下止め具４３，４４をスライダー５０の口金部５４内に挿入して各共用ファスナー２１，２２，３１，３２の左右務歯４１，４２を係合するようにスライダー５０を摺動することで行う。
【００２５】
上下止め具４３，４４をスライダー５０の口金部５４内に挿入するに際しては、４か所の共用ファスナー２１，２２，３１，３２の組み合わせ方を選択して各組み合わせの共用ファスナー２１，２２，３１，３２における端部の上止め具４３又は下止め具４４をスライダー５０の口金部５４内に挿入して左右務歯４１，４２を係合しながらスライダー５０の摺動を行う。
【００２６】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本発明の技術的範囲は上述した実施形態に限定されず、特許請求の範囲に記載された事項とその均等物まで及ぶものである。
【符号の説明】
【００２７】
１００  二重バッグ
２０  アウターバッグ
２１，２２  共用ファスナー
２３  開口縁部
２４  取っ手
３０  インナーバッグ
３１，３２  共用ファスナー
３３  開口縁部
４０  ジッパーテープ
４１  左務歯
４２  右務歯
４３  上止め具
４４  下止め具
５０  スライダー
５１  上側板
５２  下側板
５３  支柱
５４  口金部
５５  テープ溝部
５６  引き手
【図１】
2020014750.tif 000003
【図２】
2020014750.tif 000004
【図３】
2020014750.tif 000005
【図４】
2020014750.tif 000006
【図５】
2020014750.tif 000007
【図６】
2020014750.tif 000008
【図７】
2020014750.tif 000009
【図８】
2020014750.tif 000010
【図９】
2020014750.tif 000011
【図１０】
2020014750.tif 000012